(57)【特許請求の範囲】
【請求項１】
国際会議等の大規模な広城協調型会議システムにおける大規模マルチキャストデータ伝送方式において、
特定のマルチキャストグループに属する不特定多数の参加端末からの発言要求のルーティングを管理し、前記参加端末のＩＤを登録し、主催端末が前記参加端末の中から優先発言権を選定した参加端末のＩＤにより残余の参加端末の割込みを阻止するデータ伝送手段を有し、
前記データ伝送手段が、前記参加端末の発言要求と前記主催端末が選択する参加端末の発言権を管理するルーティング管理手段と、
前記参加端末のＩＤを登録し、発言権を与えられた参加端末のＩＤにより残余の参加端末からの発言要求をフィルタリング及び破棄する参加端末ＩＤ登録手段を有する大規模マルチキャストデータ伝送方式。
【請求項２】
ＷＡＮ内のＡＴＭネットワーク網と、前記網に接続するビデオ会議に参加する特定のマルチキャストグループに属する不特定多数の参加端末と、前記ビデオ会議を主催する主催端末と、主催端末に接続される第１のデータ伝送装置と、主催端末と参加端末がそれぞれモニタするビデオカメラを有する大規模マルチキャストデータ伝送方式において、
前記参加端末の発言要求と前記主催端末が選択する参加端末の発言権を管理するルーティング管理手段と、前記参加端末のＩＤを登録し、発言権を与えられた参加端末のＩＤにより残余の参加端末からの発言要求をフィルタリング及び破棄する参加端末ＩＤ登録手段を持つ第２のデータ伝送装置を有することを特徴とする大規模マルチキャストデータ伝送方式。
【請求項３】
前記第２のデータ伝送装置が、参加端末から送信される複数の発言要求のリクェストデータストリームを一つにまとめるミキサ・サーバを有する請求項２記載の大規模マルチキャストデータ伝送方式。
【請求項４】
前記第２のデータ伝送装置が、主催端末側に接続され、前記第１のデータ伝送装置が特定のマルチキャストグループに属する不特定多数の参加端末側に接続されている請求項２記載の大規模マルチキャストデータ伝送方式。
【請求項５】
前記第２のデータ伝送装置のルーティング管理手段が、参加端末からの発言要求と発言情報に含まれるマルチキャストグループアドレスと参加端末ＩＤによってルーティング管理する入力側ルーティング管理部と、主催端末からの発言許可情報に含まれるマルチキャストグループアドレスと参加端末ＩＤによってルーティング管理する出力側ルーティング管理部を有する請求項２乃至４の何れかに記載の大規模マルチキャストデータ伝送方式。
【発明の詳細な説明】
【０００１】
【発明の属する技術分野】
本発明は、マルチキャストデータ伝送方式に関し、特に大規模なマルチキャストデータ伝送を伴う広域協調型の会議システムにおける伝送方式に関する。
【０００２】
【従来の技術】
従来の技術として特開平０９−１３５４３１「ビデオ会議システム」が公開されている。特許平０９−１３５４３１には、ＬＡＮに設けられたマルチポイントコントロールユニットにより各端末の参加者の沈黙継続時間を監視すると共に、その沈黙継続時間に、端末装置が属するＬＡＮに応じて定められた重み付けを行い、各参加者画像の表示優先度を決定する表示優先度決定手段、および、各参加者画像の中から、表示優先度が高い順に所定個数の参加者画像を選択し、これらの選択画像をＬＡＮ内の各ビデオ会議端末装置にマルチキャストする手段を備えたことを特徴とするビデオ会議システムが開示されている。
【０００３】
しかし、沈黙時間の短い端末が権利を毎回優先したり、各参加端末の沈黙時間がある一定の期間同時に守られた場合、会議全体が沈黙するため円滑な会議進行を行うことができないと言う問題点を持っている。参加端末に公平な表示優先度を提供することは難しい。また、狭域ＬＡＮに応じて定められた重み付けを行っているため、広域性を重点としたＷＡＮ対応の大規模なネットワークには適応していないことが明白である。
【０００４】
【発明が解決しようとする課題】
現状のインターネットのマルチキャスト機能は、広域性を重点としたＷＡＮ対応の大規模なネットワークには適応していないことが問題である。すなわち、国際会議や全国学校集会等の広域協調型マルチキャスト機能を考慮したシステムとして対応していないことが問題である。
【０００５】
本発明の目的は、広域性を重点としたＷＡＮ対応のネットワークに適応した大規模マルチキャストデータ伝送方式を提供することである。
【０００６】
【課題を解決するための手段】
本発明の大規模マルチキャストデータ伝送方式は、国際会議等の大規模な広城協調型会議システムにおける大規模マルチキャストデータ伝送方式において、
特定のマルチキャストグループに属する不特定多数の参加端末からの発言要求のルーティングを管理し、前記参加端末のＩＤを登録し、主催端末が前記参加端末の中から優先発言権を選定した参加端末のＩＤにより残余の参加端末の割込みを阻止するデータ伝送手段を有し、
前記データ伝送手段が、前記参加端末の発言要求と前記主催端末が選択する参加端末の発言権を管理するルーティング管理手段と、
前記参加端末のＩＤを登録し、発言権を与えられた参加端末のＩＤにより残余の参加端末からの発言要求をフィルタリング及び破棄する参加端末ＩＤ登録手段を有することを特徴とする。
【０００８】
また、第２のデータ伝送装置は、参加端末から送信される複数の発言要求のリクェストデータストリームを一つにまとめるミキサ・サーバを有する。
【０００９】
また、第２のデータ伝送装置は、主催端末側に接続され、第１のデータ伝送装置が特定のマルチキャストグループに属する不特定多数の参加端末側に接続されていても良い。
【００１０】
更に、第２のデータ伝送装置のルーティング管理手段は、参加端末からの発言要求と発言情報に含まれるマルチキャストグループアドレスと参加端末ＩＤによってルーティング管理する入力側ルーティング管理部と、主催端末からの発言許可情報に含まれるマルチキャストグループアドレスと参加端末ＩＤによってルーティング管理する出力側ルーティング管理部を有する。
【００１１】
【発明の実施の形態】
次に、本発明の実施の形態について、図面を参照して、詳細に説明する。図１は本発明の大規模マルチキャストデータ伝送方式の構成図、図２は本発明の第１の実施例の動作の一例を示す図、図３は本発明のデータ伝送装置の動作を示す図、図４は本発明の第２の実施例の動作の一例を示す図、図５はデータフレームの構成を示す構造図である。
【００１２】
図１によれば、本発明の大規模マルチキャストデータ伝送方式の構成は、広域ネットワーク（以降、ＷＡＮと称す）１０９と、  ＷＡＮ１０９内のＡＴＭネットワーク１０２と、参加端末への大規模マルチキャストデータ伝送を誘導する主催端末ｌ００と、参加端末ｌ０４、１０５、１０６、１０７と、ＡＴＭネットワーク１０２を中継してきたストリームデータフレームを制御し、主催端末ｌ００にストリームデータフレームを転送するデータ伝送装置１０１と、参加端末ｌ０４、１０５、１０６、１０７から送信される複数のリクェストデータストリームを受け、参加端末のリクェストをルーティング管理し、そのリクェストを登録し、主催端末ｌ００で選択された参加端末のソースをルーティング管理し、それ以外の参加端末からのリクェストをフィルタリング及び破棄する参加端末ＩＤ登録機能を持つデータ伝送装置１０３と、主催端末ｌ００と参加端末ｌ０４、１０５、１０６、１０７の各端末を監視するビデオカメラ１１０とで構成されている。次に、本発明の第１の実施例について図を用いてその動作を説明する。図２によれば、各参加端末ｌ０４、ｌ０５、ｌ０６、ｌ０７から送信される複数のリクェストデータストリームは、データ伝送装置１０３を介し、ミキサ・サーバ１０８によって一つのストリームデータフレームにまとめられ、マルチキャストデータ伝送を使用した会議全体の周波数帯域幅を小さくしている。そのストリームデータフレームは、データ伝送装置１０３を介してＷＡＮ１０９内のＡＴＭネットワーク１０２に中継される。主催端末１００は、まとめられたストリームデータフレームをデータ伝送装置１０１を介して受信し、各参加端末のリクェストデータフレームに含まれるＩＤ毎に、そのリクェストデータフレームを各参加端末の画像及び音声データに変換して、主催端末１００のディスプレイ１１３上に出力する。また、ＩＰアドレスに基づいた各参加端末ｌ０４、ｌ０５、ｌ０６、ｌ０７のＩＤが主催端末１００の表示画面１１２に表示される。主催端末１００は、発言権を要求している参加端末を確認することができる。
【００１３】
発言権を与える参加端末として例えば参加端末１０４を選択した主催端末１００は、ソースデータフレームをデータ伝送装置１０１を介してＡＴＭネットワーク１０２に中継する。データ伝送装置１０３は、参加端末１０４のＩＤを含んだそのソースデータフレームを各参加端末ｌ０４、ｌ０５、ｌ０６、ｌ０７が属するマルチキャストグループ宛に転送する。マルチキャストグループに参加する全ての参加端末ｌ０４、ｌ０５、ｌ０６、ｌ０７は、参加端末１０４が主催端末１００から発言権を得たかを知ることができる。発言権を得た参加端末１０４は、主催端末１００宛にデータフレームを転送する。そのデータフレームは、マルチキャストフィードバックされるので、マルチキャストグループに属する参加端未、ｌ０５、ｌ０６、ｌ０７は参加端末１０４が主催端末１００に転送したデータフレームを知ることができる
次に、データ伝送装置１０３の構成を図面を用いて説明する。図３（ａ）によれば、データ伝送装置１０３は、参加端末からのリクェストデータフレームの入力バッファ１２５と、入力バッファ１２５を介して照合を行う入力側ルーティング管理部１２６と、主催端末１００からのソースデータフレームの入力バッファ１２９と、リクェストデータフレーム内のデータ部に格納された各参加端末のＩＤと送信先のマルチキャストグループ宛ＩＰアドレスを登録する参加端末ＩＤ登録部１２７（入力側）と、主催端末１００へのリクェストデータフレームの出力バッファ１２８と、発言権を与える参加端末のソースデータフレームを照合する出力側ルーティング管理部１３０と、ヒースデータフレームの出力バッファ１３１から構成されている。
【００１４】
次に、データ伝送装置１０３の動作について図３を用いて説明する。図３（ａ）はデータ伝送装置１０３の参加端末からのリクェストデータフレームと主催端末１００からのソースデータフレームの動作を説明する図であり、図３（ｂ）はデータ伝送装置１０３の発言権を与えた参加端末のデータフレームの動作を説明する図である。
【００１５】
図３（ａ）によれば、参加端末からのリクェストデータフレームは、データ伝送装置１０３内の入力バッファ１２５を介して入力側ルーティング管理部１２６にて照合される。リクェストデータフレーム内の図５に示すデータフレームのデータ部には各参加端末のＩＤが格納されており、参加端末のＩＤは、送信先のマルチキャストグループ宛ＩＰアドレスと共に、参加端末ＩＤ登録部１２７に登録される。リクェストデータフレームは、出力バッファ１２８を介してＷＡＮ内のＡＴＭネットワークに中継される。
【００１６】
主催端末１００からのソースデータフレームは、データ伝送装置内１０３の入力バッファ１２９を介して、出力側ルーティング管理部１３０において照合され、参加端末ＩＤ登録部１２７の出力側に、主催者端末において発言権を与える参加端末として選択された参加端末の端末ＩＤを登録する。出力バッファ１３１を介してソースデータフレームは各参加端末が属するマルチキャストグループ宛に転送される。
【００１７】
図３（ｂ）によれば、データ伝送装置１０３内の入力バッファ１２５を介して、参加端未から転送されたデータフレームは、入力側ルーティング管理部１２６により照合される。データフレームのデータヘッダ部に格納されている参加端末のＩＤは、参加端末ＩＤ登録部１２７の入力側に登録される。参加端末ＩＤ登録部１２７の出力側にはすでに各参加端末のＩＤが登録されているが、参加端末ＩＤ登録部１２７に登録されている参加端末のＩＤ以外の参加端末ＩＤは一致しないので破棄される。照合の結果により、主催端末から発言権利を得た参加端末以外の参加端末はデータを転送したとしてもデータ伝送装置１０３内のＩＤ登録部１２７に登録されていないため、データフレームはフィルタリングされ、主催端末宛には転送されないことになる。参加端末から転送されたデータフレームは、データ伝送装置１０３内の出力バッファ１２８を介して、主催端末１００宛に転送される。
【００１８】
次に本発明の第２の実施例について図を用いて説明する。図４によれば、各参加端末ｌ０４、ｌ０５、ｌ０６、ｌ０７から送信される複数のリクェストデータストリームは、データ伝送装置１０１を介しＷＡＮ１０９内のＡＴＭネットワーク１０２に中継される。主催端末１００は、複数のストリームデータフレームを受信し、各参加端末のリクェストデータフレームに含まれるＩＤ毎に、そのリクェストデータフレームを各参加端末の画像及び音声データに変換して、主催端末１００のディスプレイ１１３上に出力する。また、ＩＰアドレスに基づいた各参加端末ｌ０４、ｌ０５、ｌ０６、ｌ０７のＩＤが主催端末１００の表示画面１１２に表示される。主催端末１００は、発言権をリクェストしている参加端末を確認することができる。
【００１９】
発言権を与える参加端末として例えば参加端末１０４を選択した主催端末１００は、ソースデータフレームをデータ伝送装置１０３を介してＡＴＭネットワーク１０２に中継する。データ伝送装置１０３は、参加端末１０４のＩＤを含んだそのソースを各参加端末ｌ０４、ｌ０５、ｌ０６、ｌ０７が属するマルチキャストグループ宛に転送する。マルチキャストグループに参加する全ての参加端末ｌ０４、ｌ０５、ｌ０６、ｌ０７は、参加端末１０４が主催端末１００から発言権を得たかを知ることができる。発言権を得た参加端末１０４は、主催端末１００宛にデータフレームを転送する。そのデータフレームは、マルチキャストフィードバックされるので、マルチキャストグループに属する参加端未、ｌ０５、ｌ０６、ｌ０７は参加端末１０４が主催端末１００に転送したデータフレームを知ることができる。
【００２０】
【発明の効果】
本発明によれば、ＷＡＮ対応の大規模マルチキャストデータ伝送方式は、データ伝送装置内のルーティング管理部及び参加端末ＩＤ登録部においてデータフレームを管理し、主催端末から選択された参加端末以外の端末に割り込み発言をさせないようにしている。その結果、主催端末で選択された参加端末の発言権は絶対的優先権を得ることになる。参加端末に絶対的優先権を与える理由として、ネットワーク構成は、マルチキャストでデータを転送しているため上記のような制御がないと広域会議等を行う場合、多数の参加端末が発言等を要求及び無秩序にデータを転送してしまう可能性がありトラヒックが増大しネットワークに甚大な影響を与えてしまうからである。また、マルチキャストグループに参加している不特定多数の端末に対し、現在どの端末が発言権を持ち、またその発言に関する主催端末側からの返答等の情報が参加端末側にマルチキャストフイードバツクされるため全参加端末が同じ情報をリアルタイムに共用することができる。
【００２１】
したがって、本発明のＷＡＮ対応の大規模マルチキャストデータ伝送方式は、全国の学校を対象にした広城協調型学習システム等のマルチキャスト伝送に効果がある。
【００２２】
本発明によれば、ＷＡＮ対応の大規模マルチキャストデータ伝送方式において、不特定多数の端末が、該マルチキャストグループに加わることで国際会議等の大規模な広域協調型会議に参加できると言う効果がある。
【図面の簡単な説明】
【図１】本発明の大規模マルチキャストデータ伝送方式の構成図である。
【図２】本発明の第１の実施例の動作の一例を示す図である。
【図３】本発明のデータ伝送装置の動作を示す図である。図３（ａ）はデータ伝送装置の参加端末からのリクェストデータフレームと主催端末１００からのソースデータフレームの動作を説明する図であり、図３（ｂ）はデータ伝送装置の発言権を与えた参加端末のデータフレームの動作を説明する図である。
【図４】本発明の第２の実施例の動作の一例を示す図である。
【図５】データフレームの構成を示す構造図である。
【符号の説明】
１００    主催端末
１０１、１０３    データ伝送装置
１０２    ＡＴＭネットワーク
１０４、１０５、１０６、１０７    参加端末
１０８    ミキサ・サーバ
１０９    ＷＡＮ
１１０    ビデオカメラ
１１２    ディスプレイ
１１３    表示画面
１２５、１２９    入力バッファ
１２６    入力側ルーティング管理部
１２７    参加端末ＩＤ登録部
１２８、１３１    出力バッファ
１３０    出力側ルーティング管理部
３００    データヘッダ部
【図１】
0003546941.tif 000002
【図２】
0003546941.tif 000003
【図３】
0003546941.tif 000004
【図４】
0003546941.tif 000005
【図５】
0003546941.tif 000006